(57)【要約】      （修正有）【課題】ユーザの誤操作に起因する意図しないジョブの実行を回避することができる画像形成装置を提供する。【解決手段】ＭＦＰは、操作表示部２２２のタッチ操作を検知し、且つＮＦＣ通信の電波を受信した場合、ジョブを実行しない操作表示部２２２の表示切替処理を実行する。【選択図】図５
2018027634.tif 000002
【特許請求の範囲】
【請求項１】
近距離無線通信の電波を受信する受信手段を備え、表示された画面を切り替えるとジョブを実行しない画像形成装置であって、
前記ジョブの実行を指示する操作手段を含む設定画面を表示する表示手段と、
前記設定画面のタッチ操作を検知するタッチ操作検知手段と、
前記近距離無線通信の電波を検知する電波検知手段とを備え、
前記設定画面のタッチ操作を検知し、且つ前記近距離無線通信の電波を検知した場合、前記表示手段は、前記表示された設定画面を当該設定画面と異なる他の画面に切り替えることを特徴とする画像形成装置。
【請求項２】
前記近距離無線通信の電波を検知し、且つ実害を伴うジョブの実行を指示する操作手段のタッチ操作を検知した場合、前記表示手段は、前記表示された設定画面を前記他の画面に切り替えることを特徴とする請求項１記載の画像形成装置。
【請求項３】
前記他の画面は、前記ジョブの種別を選択するための選択画面であることを特徴とする請求項１又は２記載の画像形成装置。
【請求項４】
前記他の画面は、前記操作手段を含まないことを特徴とする請求項１乃至３のいずれか１項に記載の画像形成装置。
【請求項５】
前記近距離無線通信は、ＮＦＣ規格に準拠する近距離無線通信であることを特徴とする請求項１乃至４のいずれか１項に記載の画像形成装置。
【請求項６】
近距離無線通信の電波を受信する受信手段を備え、表示された画面を切り替えるとジョブを実行しない画像形成装置の制御方法であって、
前記ジョブの実行を指示する操作手段を含む設定画面を表示する表示ステップと、
前記設定画面のタッチ操作を検知するタッチ操作検知ステップと、
前記近距離無線通信の電波を検知する電波検知ステップとを有し、
前記設定画面のタッチ操作を検知し、且つ前記近距離無線通信の電波を検知した場合、前記表示ステップは、前記表示された設定画面を当該設定画面と異なる他の画面に切り替えることを特徴とする画像形成装置の制御方法。
【請求項７】
近距離無線通信の電波を受信する受信手段を備え、表示された画面を切り替えるとジョブを実行しない画像形成装置の制御方法をコンピュータに実行させるプログラムであって、
前記画像形成装置の制御方法は、
前記ジョブの実行を指示する操作手段を含む設定画面を表示する表示ステップと、
前記設定画面のタッチ操作を検知するタッチ操作検知ステップと、
前記近距離無線通信の電波を検知する電波検知ステップとを有し、
前記設定画面のタッチ操作を検知し、且つ前記近距離無線通信の電波を検知した場合、前記表示ステップは、前記表示された設定画面を当該設定画面と異なる他の画面に切り替えることを特徴とするプログラム。
【発明の詳細な説明】
【技術分野】
【０００１】
本発明は、画像形成装置及びその制御方法、並びにプログラムに関する。
【背景技術】
【０００２】
コピー、スキャン、ＦＡＸ通信等の各ジョブを実行する画像形成装置としてのＭＦＰが知られている。ＭＦＰはタッチパネル式の操作表示部を備え、操作表示部には各ジョブの設定や該ジョブの実行の開始を指示するスタートボタン等を含む設定画面が表示される。ＭＦＰは、例えば、コピージョブの設定画面が表示された操作表示部において、スタートボタンが表示された位置のタッチ操作を検知すると、コピージョブの実行指示を受け付け、コピージョブの実行を開始する。
【０００３】
また、ＭＦＰは、近距離無線通信を実行可能であり、例えば、ＮＦＣ（Near Field Communication）規格に準拠する近距離無線通信（以下、「ＮＦＣ通信」という。）を行うためのＮＦＣタグを備え、ＮＦＣタグは操作表示部の近傍等に配置される。ユーザによってＮＦＣ通信可能な携帯端末がＮＦＣタグに近接されると、ＭＦＰは当該携帯端末とＮＦＣ通信を行う（例えば、特許文献１参照）。
【先行技術文献】
【特許文献】
【０００４】
【特許文献１】特開２０１４−１０７８５９号公報
【発明の概要】
【発明が解決しようとする課題】
【０００５】
しかしながら、ＮＦＣタグが操作表示部の近傍に配置されたＭＦＰでは、ユーザがＮＦＣ通信を行うためにＮＦＣタグに携帯端末を近付けた際に、ユーザが操作表示部に表示されたスタートボタンを誤って押下してしまう場合がある。この場合、ユーザが意図しないジョブが実行されてしまうという問題が生じる。
【０００６】
本発明の目的は、ユーザの誤操作に起因する意図しないジョブの実行を回避することができる画像形成装置及びその制御方法、並びにプログラムを提供することにある。
【課題を解決するための手段】
【０００７】
上記目的を達成するために、本発明の画像形成装置は、近距離無線通信の電波を受信する受信手段を備え、表示された画面を切り替えるとジョブを実行しない画像形成装置であって、前記ジョブの実行を指示する操作手段を含む設定画面を表示する表示手段と、前記設定画面のタッチ操作を検知するタッチ操作検知手段と、前記近距離無線通信の電波を検知する電波検知手段とを備え、前記設定画面のタッチ操作を検知し、且つ前記近距離無線通信の電波を検知した場合、前記表示手段は、前記表示された設定画面を当該設定画面と異なる他の画面に切り替えることを特徴とする。
【発明の効果】
【０００８】
本発明によれば、ユーザの誤操作に起因する意図しないジョブの実行を回避することができる。
【図面の簡単な説明】
【０００９】
【図１】本発明の実施の形態に係る画像形成装置としてのＭＦＰを含む通信システムの構成を概略的に示すブロック図である。
【図２】図１のＭＦＰの構成を概略的に示すブロック図である。
【図３】図２の操作表示部に表示される画面の一例を示す図である。
【図４】図１の携帯端末の構成を概略的に示すブロック図である。
【図５】図１におけるＭＦＰで実行される表示制御処理の手順を示すフローチャートである。
【図６】図５の表示制御処理の変形例の手順を示すフローチャートである。
【発明を実施するための形態】
【００１０】
以下、本発明の実施の形態を図面を参照しながら詳述する。
【００１１】
本実施の形態では、画像形成装置としてのＭＦＰに本発明を適用した場合について説明するが、本発明の適用先はＭＦＰに限られず、例えば、ＮＦＣ通信可能な装置であれば本発明を適用することができる。
【００１２】
図１は、本発明の実施の形態に係る画像形成装置としてのＭＦＰ１０１を含む通信システム１００の構成を概略的に示すブロック図である。
【００１３】
図１において、通信システム１００は、ＭＦＰ１０１及び携帯端末１０２を備える。ＭＦＰ１０１はコピー、スキャン、ＦＡＸ通信等の各ジョブを実行する。ＭＦＰ１０１は無線ＬＡＮ通信可能な携帯端末１０２と無線ＬＡＮ通信を行い、また、ＭＦＰ１０１は無線ＬＡＮ通信より通信距離が短い近距離無線通信を行う。近距離無線通信は、例えば、通信距離が数ｃｍ〜十数ｃｍ程度のＮＦＣ規格に準拠する近距離無線通信（以下、「ＮＦＣ通信」という。）である。携帯端末１０２は、無線ＬＡＮ通信や近距離無線通信を実行可能である。例えば、携帯端末１０２はＮＦＣ通信によってＭＦＰ１０１から該ＭＦＰ１０１と無線ＬＡＮ通信を行うための通信設定情報を取得し、該通信設定情報を設定してＭＦＰ１０１と無線ＬＡＮ通信を行う。
【００１４】
図２は、図１のＭＦＰ１０１の構成を概略的に示すブロック図である。
【００１５】
図２において、ＭＦＰ１０１は、制御部２０１、プリンタ部２１６、スキャナ部２１７、無線通信部２１８、近距離無線通信ユニット２１９、及び操作表示部２２２を備える。制御部２０１は、プリンタ部２１６、スキャナ部２１７、無線通信部２１８、近距離無線通信ユニット２１９、及び操作表示部２２２のそれぞれと接続されている。制御部２０１はＣＰＵ２０２、ＲＡＭ２０３、ＲＯＭ２０４、記憶部２０５、画像処理部２０６、エンジンＩ／Ｆ２０７、及びスキャナＩ／Ｆ２０８を備える。また、制御部２０１は無線コントローラ２０９、操作表示部コントローラ２１０、ＵＳＢＩ／Ｆ２１１、ネットワークＩ／Ｆ２１２、及びＦＡＸＩ／Ｆ２１４を備える。ＣＰＵ２０２、ＲＡＭ２０３、ＲＯＭ２０４、記憶部２０５、画像処理部２０６、エンジンＩ／Ｆ２０７、スキャナＩ／Ｆ２０８、無線コントローラ２０９、操作表示部コントローラ２１０、ＵＳＢＩ／Ｆ２１１、ネットワークＩ／Ｆ２１２、及びＦＡＸＩ／Ｆ２１４はシステムバス２２３を介して互いに接続されている。近距離無線通信ユニット２１９は近距離無線コントローラ２２０及び近距離無線通信部２２１を備える。
【００１６】
制御部２０１はＭＦＰ１０１全体を統括的に制御する。ＣＰＵ２０２はＲＯＭ２０４や記憶部２０５に記憶されたプログラムを実行して各制御を行う。ＲＡＭ２０３はＣＰＵ２０２の作業領域として用いられ、また、ＲＡＭ２０３は各データの一時格納領域として用いられる。ＲＯＭ２０４はブートＲＯＭであり、ＭＦＰ１０１のブートプログラムを記憶する。記憶部２０５はデータ容量が比較的大きいプログラムや各データを記憶する。画像処理部２０６はスキャナ部２１７等で生成された画像データに対して画像処理を施す。エンジンＩ／Ｆ２０７はプリンタ部２１６とデータ通信を行い、スキャナＩ／Ｆ２０８はスキャナ部２１７とデータ通信を行う。
【００１７】
無線コントローラ２０９は無線通信部２１８による電波の送受信を制御する。操作表示部コントローラ２１０は操作表示部２２２に表示される各画面の表示制御や、ユーザの操作表示部２２２の操作によって入力された入力情報を操作表示部２２２から取得する。ＵＳＢＩ／Ｆ２１１はＭＦＰ１０１の図示しないＵＳＢコネクタを介して接続された外部装置とデータ通信を行い、ネットワークＩ／Ｆ２１２はＬＡＮ２１３を介して接続された外部装置とデータ通信を行う。ＦＡＸＩ／Ｆ２１４は公衆回線網２１５を介して接続された外部装置とＦＡＸ通信を行う。
【００１８】
プリンタ部２１６はスキャナ部２１７等で生成された画像データに基づいて用紙に印刷を行う。スキャナ部２１７は図示しない原稿台に配置された原稿を読み取って画像データを生成する。無線通信部２１８は図示しないアクセスポイントを介して携帯端末１０２等と無線ＬＡＮ通信を行う。近距離無線通信ユニット２１９は、図３（ａ）に示すように、操作表示部２２２の近接に配置されている。また、近距離無線通信ユニット２１９は、近距離無線コントローラ２２０及び近距離無線通信部２２１の他に、図示しないメモリ素子を備え、メモリ素子には無線ＬＡＮ通信を行うための通信設定情報を含むＭＦＰ１０１の機器情報が格納されている。近距離無線コントローラ２２０は近距離無線通信部２２１の電波の送受信を制御する。近距離無線通信部２２１はＮＦＣ通信可能な携帯端末１０２等とＮＦＣ通信を行う。例えば、近距離無線通信部２２１は、携帯端末１０２からＮＦＣ通信によって通信設定情報の取得要求を受信すると、図示しないメモリ素子に格納された通信設定情報をＮＦＣ通信によって携帯端末１０２に送信する。
【００１９】
操作表示部２２２はタッチパネルで構成されたＭＦＰ１０１のユーザインターフェースである。操作表示部２２２には、例えば、ジョブの種別を選択するための図３（ａ）の選択画面３００が表示される。選択画面３００は、ＭＦＰ１０１の起動時やＭＦＰ１０１の省電力モードからの復帰時等に表示され、コピーボタン３０１、スキャンボタン３０２、ＦＡＸボタン３０３、及び設定ボタン３０４を含む。コピーボタン３０１はコピージョブの各設定を行うための図３（ｂ）の設定画面３０５の表示を指示する。設定画面３０５はコピージョブの各設定情報３０６やコピージョブの実行の開始を指示するスタートボタン３０７（操作手段）を含む。スキャンボタン３０２はスキャンジョブの各設定を行うための設定画面の表示を指示し、ＦＡＸボタン３０３はＦＡＸ通信ジョブの各設定を行うための設定画面の表示を指示する。設定ボタン３０４はＭＦＰ１０１の各設定を示す図３（ｃ）の設定画面３０８の表示を指示する。
【００２０】
図４は、図１の携帯端末１０２の構成を概略的に示すブロック図である。
【００２１】
図４において、携帯端末１０２は制御部４０１、ＵＩ（User Interface）部４１２、無線通信部４１３、及び近距離無線通信部４１４を備え、制御部４０１は、ＵＩ部４１２、無線通信部４１３、及び近距離無線通信部４１４のそれぞれと接続されている。制御部４０１は、ＣＰＵ４０２、ＲＡＭ４０３、ＲＯＭ４０４、記憶部４０５、通話部４０６、表示コントローラ４０７、操作部コントローラ４０８、無線コントローラ４０９、通信部４１０、及び近距離無線コントローラ４１１を備える。ＣＰＵ４０２、ＲＡＭ４０３、ＲＯＭ４０４、記憶部４０５、通話部４０６、表示コントローラ４０７、操作部コントローラ４０８、無線コントローラ４０９、通信部４１０、及び近距離無線コントローラ４１１はシステムバス４１５を介して互いに接続されている。
【００２２】
制御部４０１は携帯端末１０２全体を統括的に制御する。ＣＰＵ４０２はＲＯＭ４０４や記憶部４０５に記憶されたプログラムを実行して各制御を行う。ＲＡＭ４０３はＣＰＵ４０２の作業領域として用いられ、また、ＲＡＭ４０３は各データの一時格納領域として用いられる。ＲＯＭ４０４はブートＲＯＭであり、携帯端末１０２のブートプログラムを記憶する。記憶部４０５はデータ容量が比較的大きいプログラムや各データを記憶する。通話部４０６は図示しない外部装置と音声通話処理を行う。表示コントローラ４０７はＵＩ部４１２に表示される各画面の表示制御を行う。操作部コントローラ４０８はユーザのＵＩ部４１２の操作によって入力された入力情報をＵＩ部４１２から取得する。無線コントローラ４０９は無線通信部４１３による電波の送受信を制御する。通信部４１０はＵＳＢを介して接続された外部装置とデータ通信を行う。近距離無線コントローラ４１１は近距離無線通信部４１４による電波の送受信を制御する。
【００２３】
ＵＩ部４１２はタッチパネル式の図示しない表示部及びハードキーを備える携帯端末１０２のユーザインターフェースである。無線通信部４１３はＭＦＰ１０１等と無線ＬＡＮ通信を行い、近距離無線通信部４１４はＭＦＰ１０１等とＮＦＣ通信等の近距離無線通信を行う。
【００２４】
図５は、図１におけるＭＦＰ１０１で実行される表示制御処理の手順を示すフローチャートである。
【００２５】
図５の処理は、ＣＰＵ２０２がＲＯＭ２０４や記憶部２０５に記憶されたプログラムを実行することによって行われる。
【００２６】
ここで、図３（ａ）に示すように、近距離無線通信ユニット２１９が操作表示部２２２の近接に配置されていると、ユーザがＮＦＣ通信を行うために近距離無線通信ユニット２１９に携帯端末１０２を近付けた際、操作表示部２２２のスタートボタン３０７をユーザが誤って押下してしまい、ユーザが意図しないコピージョブが実行されてしまうという問題が生じる。
【００２７】
これに対応して、本実施の形態では、操作表示部２２２のタッチ操作を検知し、且つＮＦＣ通信の電波を受信した場合、ジョブを実行しない操作表示部２２２の表示切替処理を行う。
【００２８】
なお、図５の処理は、一例として操作表示部２２２に設定画面３０５が表示されている場合を前提とする。
【００２９】
図５において、まず、ＣＰＵ２０２は操作表示部２２２のタッチ操作を検知したか否かを判別し（ステップＳ５０１）（タッチ操作検知手段）、該タッチ操作を検知するまで待機する。その後、操作表示部２２２のタッチ操作を検知すると（ステップＳ５０１でＹＥＳ）、ＣＰＵ２０２は近距離無線通信部２２１によってＮＦＣ通信の電波の受信を検知したか否かを判別する（ステップＳ５０２）（電波検知手段）。
【００３０】
ステップＳ５０２の判別の結果、ＮＦＣ通信の電波の受信を検知したとき、ＣＰＵ２０２は操作表示部２２２の表示切替処理を実行する（ステップＳ５０３）。具体的に、ＣＰＵ２０２は、操作表示部２２２に表示された設定画面３０５を選択画面３００に切り替える。表示切替処理では、設定画面３０５においてユーザがスタートボタン３０７を誤ってタッチ操作しても、当該タッチ操作に応じたコピージョブが実行されない。その後、ＣＰＵ２０２は本処理を終了する。
【００３１】
ステップＳ５０２の判別の結果、ＮＦＣ通信の電波の受信を検知しないとき、ＣＰＵ２０２はタッチ操作が示す指示に応じた処理を実行し（ステップＳ５０４）、本処理を終了する。
【００３２】
上述した図５の処理によれば、操作表示部２２２のタッチ操作を検知し、且つＮＦＣ通信の電波を受信した場合、コピージョブを実行しない操作表示部２２２の表示切替処理を行う。すなわち、ユーザがＮＦＣ通信を行う際に操作表示部２２２を誤操作しても、コピージョブが実行されない。これにより、ユーザの誤操作に起因する意図しないコピージョブの実行を回避することができる。
【００３３】
また、上述した図５の処理では、他の画面は選択画面３００であるので、設定画面３０５と内容の異なる画面を操作表示部２２２に表示して操作表示部２２２の誤操作の発生をユーザに気付かせる機会を与えることができる。
【００３４】
さらに、上述した図５の処理では、他の画面はスタートボタン３０７を含まない。すなわち、操作表示部２２２の表示切替処理の実行を完了した後にユーザが操作表示部２２２を誤操作しても、コピージョブの実行が指示されることはない。これにより、意図しないコピージョブの実行指示が行われる事態を減らすことができる。
【００３５】
以上、本発明について、上述した実施の形態を用いて説明したが、本発明は上述した実施の形態に限定されるものではない。
【００３６】
例えば、近距離無線通信の電波を受信し、且つスタートボタン３０７が選択された場合、ジョブを実行しない操作表示部２２２の表示切替処理を実行しても良い。
【００３７】
図６は、図５の表示制御処理の変形例の手順を示すフローチャートである。
【００３８】
図６の処理は、ＣＰＵ２０２がＲＯＭ２０４や記憶部２０５に記憶されたプログラムを実行することによって行われ、操作表示部２２２に設定画面３０５が表示されている場合を前提とする。
【００３９】
図６において、まず、ＣＰＵ２０２は上述したステップＳ５０１，Ｓ５０２の処理を行う。
【００４０】
ステップＳ５０２の判別の結果、ＮＦＣ通信の電波の受信を検知しないとき、ＣＰＵ２０２は上述したステップＳ５０４以降の処理を行う。一方、ステップＳ５０２の判別の結果、ＮＦＣ通信の電波の受信を検知したとき、ＣＰＵ２０２はステップＳ５０１で検知されたタッチ操作が実害を伴うジョブの実行の開始を指示するスタートボタンのタッチ操作であるか否かを判別する（ステップＳ６０１）。実害を伴うジョブは、操作表示部２２２の誤操作によって実行された場合に、例えば、用紙を不要に消費してしまうコピージョブや不要な通信料が発生するＦＡＸ通信ジョブである。
【００４１】
ステップＳ６０１の判別の結果、検知されたタッチ操作が実害を伴うジョブのスタートボタン、例えば、スタートボタン３０７のタッチ操作であるとき、ＣＰＵ２０２は上述したステップＳ５０３以降の処理を行う。一方、ステップＳ６０１の判別の結果、検知されたタッチ操作が実害を伴うジョブのスタートボタンのタッチ操作でないとき、ＣＰＵ２０２は上述したステップＳ５０４以降の処理を行う。
【００４２】
上述した図６の処理では、ＮＦＣ通信の電波を受信し、且つ実害を伴うジョブのスタートボタンのタッチ操作を検知した場合、コピージョブを実行しない操作表示部２２２の表示切替処理を実行する。これにより、操作表示部２２２の誤操作に起因して実害を伴うジョブが実行される事態を確実になくすことができる。
【００４３】
上述した本実施の形態では、一例として、コピージョブの各設定を行うための設定画面３０５が操作表示部２２２に表示された場合について説明したが、操作表示部２２２に表示される画面は設定画面３０５に限られない。例えば、スキャンジョブの各設定を行うための設定画面やＦＡＸ通信ジョブの各設定を行うための設定画面が操作表示部２２２に表示された場合であっても上述した本実施の形態と同様の効果を奏することができる。
【００４４】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００４５】
１０１  ＭＦＰ
２０２  ＣＰＵ
２２２  操作表示部
３００  選択画面
３０５  設定画面
３０７  スタートボタン
【図１】
2018027634.tif 000003
【図２】
2018027634.tif 000004
【図３】
2018027634.tif 000005
【図４】
2018027634.tif 000006
【図５】
2018027634.tif 000007
【図６】
2018027634.tif 000008